(57)【特許請求の範囲】
【請求項１】
１秒間に複数回共通カウント値を更新する更新手段と、コネクションの故障を検出する故障検出手段と、上記故障検出手段がコネクションの故障を検出すると、その故障検出時の共通カウント値を格納する格納手段と、上記格納手段に格納されている共通カウント値に所定値を加算し、その加算値が現在の共通カウント値と一致するとき、故障通知セルを主信号セルの空きセルに挿入する挿入手段とを備えた故障通知セル発生回路。
【請求項２】
挿入手段は、コネクションの故障が解消されるまで、加算値が現在の共通カウント値と一致する限り、故障通知セルを主信号セルの空きセルに挿入することを特徴とする請求項１記載の故障通知セル発生回路。
【請求項３】
挿入手段は、故障通知セルを挿入する前にコネクションの故障が解消された場合でも、１回だけ故障通知セルを主信号セルの空きセルに挿入することを特徴とする請求項１または請求項２記載の故障通知セル発生回路。
【請求項４】
故障検出手段がコネクションの故障を検出すると有効になる一方、挿入手段が故障通知セルを主信号セルの空きセルに挿入すると無効になる初回発生フラグを設け、その挿入手段は、コネクションの故障が解消された場合でも、その初回発生フラグが有効であれば、故障通知セルを主信号セルの空きセルに挿入することを特徴とする請求項３記載の故障通知セル発生回路。
【請求項５】
１秒間に複数回共通カウント値を更新し、コネクションの故障を検出すると、その故障検出時の共通カウント値を格納する一方、その格納した共通カウント値に所定値を加算し、その加算値が現在の共通カウント値と一致するとき、故障通知セルを主信号セルの空きセルに挿入する故障通知セル発生方法。
【請求項６】
コネクションの故障が解消されるまで、加算値が現在の共通カウント値と一致する限り、故障通知セルを主信号セルの空きセルに挿入することを特徴とする請求項５記載の故障通知セル発生方法。
【請求項７】
故障通知セルを挿入する前にコネクションの故障が解消された場合でも、１回だけ故障通知セルを主信号セルの空きセルに挿入することを特徴とする請求項５または請求項６記載の故障通知セル発生方法。
【請求項８】
コネクションの故障を検出すると有効になる一方、故障通知セルを主信号セルの空きセルに挿入すると無効になる初回発生フラグを設け、コネクションの故障が解消された場合でも、その初回発生フラグが有効であれば、故障通知セルを主信号セルの空きセルに挿入することを特徴とする請求項７記載の故障通知セル発生方法。
【発明の詳細な説明】
【０００１】
【発明の属する技術分野】
この発明は、ＡＴＭ（Ａｓｙｎｃｈｒｏｎｏｕｓ  Ｔｒａｎｓｆｅｒ  Ｍｏｄｅ；非同期転送モード）通信装置における伝送路やパスの故障を通知する故障通知セル発生回路及び故障通知セル発生方法に関するものである。
【０００２】
【従来の技術】
ＡＴＭ網を構成するＡＴＭ通信装置において、伝送路やパスの故障を検出した場合、故障の影響を受ける全ての動作中のＶＰ（Ｖｉｒｔｕａｌ  Ｐａｔｈ）コネクション及びＶＣ（Ｖｉｒｔｕａｌ  Ｃｈａｎｎｅｌ）コネクションに対して故障を通知するためのＯＡＭ（Ｏｐｅｒａｔｉｏｎ  ａｎｄ  Ｍａｉｎｔｅｎａｎｃｅ）セル、即ち、故障通知セルを発生する必要がある。
【０００３】
故障通知セルには、故障の下流方向に対して故障を通知するＡＩＳ（Ａｌａｒｍ  Ｉｎｄｉｃａｔｉｏｎ  Ｓｉｇｎａｌ）セルと、その逆方向に対して故障を通知するＲＤＩ（Ｒｅｍｏｔｅ  Ｄｅｆｅｃｔ  Ｉｎｄｉｃａｔｉｏｎ）セルがある。
故障通知セルの発生周期は、１コネクションにつき１セル／１秒であり、故障検出時はなるべく迅速に故障通知セルの発生を開始しなければならない。このような故障通知セル発生の原則については、ＩＴＵ−Ｔ勧告Ｉ．６１０に記載されている。
【０００４】
ここでは、特定パス故障の検出時に故障通知セルを発生する方法について説明する。
特定パス故障には、ＶＰコネクションやＶＣコネクションでのＬＯＣ（Ｌｏｓｓ  ｏｆ  Ｃｏｎｔｉｎｕｉｔｙ）検出や、ＶＰコネクションでのＶＰ−ＡＩＳ警報検出等がある。
【０００５】
例えば、特開平１０−７０５４５号公報には、ＡＴＭ網加入者終端装置におけるＶＰ−ＡＩＳ警報検出時のＶＰ−ＦＥＲＦセル（＝ＶＰ−ＲＤＩセル）転送方法（故障通知セル発生方法）が示されており、図７はその動作を示す説明図である。
【０００６】
ＡＴＭ網加入者終端装置で検出するＶＰ−ＡＩＳ警報は、ＶＰコネクション毎に、ＶＰ−ＡＩＳセルを１セル受信した場合に警報検出とする一方、一定期間、ＶＰ−ＡＩＳセルを受信しない場合には警報を解除する。
このとき、全ＶＰ数分のＶＰ−ＡＩＳセル受信情報及び未受信タイマ情報は、通常、ＶＰ−ＡＩＳ警報管理用のメモリによって実現する。
【０００７】
ＶＰ−ＡＩＳセル受信時は、メモリ内の対応するＶＰ番号に対して警報検出を書き込み、警報解除用には定期的にメモリをアクセスして、未受信タイマ情報と警報状態の更新を行う。
図７の例では、全ＶＰ数をＮ個とし、ＶＰ−ＡＩＳ警報制御対象ＶＰ番号に示すように、０．５秒間に０．５／Ｎ秒間隔でＶＰ番号＝１，２，３，・・・，Ｎの順番でメモリをアクセスし、警報情報の更新を行っている。このとき、読み出した警報情報は、ＶＰ−ＦＥＲＦセル発生制御用の１ビットバッファに保持する。
【０００８】
一方、ＶＰ−ＦＥＲＦセル挿入制御では、ＶＰ−ＡＩＳ警報を検出したＶＰコネクションに対して、１秒間隔でＶＰ−ＦＥＲＦセルの挿入処理を行うために、１秒間に全ＶＰコネクションについてのＶＰ−ＡＩＳ警報情報を確認する。
図７の例では、ＶＰ−ＦＥＲＦセル挿入制御対象ＶＰ番号に示すように、１秒間のうち前半の０．５秒間は、奇数のＶＰ番号（ＶＰ番号＝１，３，５，・・・，Ｎ−１）のみ警報情報を確認し、後半の０．５秒間は、偶数のＶＰ番号（ＶＰ番号＝２，４，６，・・・，Ｎ）のみ警報情報を確認する。
さらに、ＶＰ−ＦＥＲＦセル挿入制御用の１秒クロックとＶＰ−ＡＩＳ警報制御用の０．５秒クロックを同期化している。
【０００９】
これにより、ＶＰ−ＦＥＲＦセル挿入制御対象ＶＰ番号とＶＰ−ＡＩＳ警報制御対象ＶＰ番号との最大位相差は１ＶＰ以下となり、ＶＰ−ＦＥＲＦセル挿入制御では、改めてメモリをアクセスすることなく、ＶＰ−ＡＩＳ警報制御で読み出した警報情報をそのまま取り込むことができる。
以上により、ＶＰ−ＦＥＲＦセル挿入制御では、約１／Ｎ秒間隔で１秒間に全ＶＰコネクションについてのＶＰ−ＡＩＳ警報情報を確認し、ＶＰ−ＡＩＳ警報を検出しているＶＰコネクションに対してはＶＰ−ＦＥＲＦセルの挿入処理を行なっている。
【００１０】
【発明が解決しようとする課題】
従来の故障通知セル発生方法は以上のように構成されているので、特定のＶＰコネクションに対してＶＰ−ＡＩＳセルを受信した場合、ＶＰ−ＡＩＳ警報を検出してからＶＰ−ＡＩＳ警報制御対象ＶＰとして警報情報を読み出すまで最大で０．５秒必要である。また、ＶＰ−ＦＥＲＦセル挿入制御では奇数と偶数のＶＰ番号に分けて０．５秒間ずつ制御を行っているため、例えば、奇数番号のＶＰ−ＦＥＲＦセル挿入制御中に読み出した偶数番号のＶＰ−ＡＩＳ警報情報は取り込まれず、０．５秒後に偶数番号のＶＰ−ＦＥＲＦセル挿入制御を行った時に初めてＶＰ−ＡＩＳ警報情報が取り込まれる。つまり、特定のＶＰコネクションのＶＰ−ＡＩＳ警報を検出してからＶＰ−ＦＥＲＦセル挿入処理を行うまでは最大で１秒必要であり、故障通知セルを発生するまでに長時間を要するという課題があった。
これは、従来例のように１秒間に全ＶＰコネクションに対して１回ずつ故障を確認し、故障通知セル発生制御を行う方式で共通した問題であり、故障を検出してから故障通知セルを発生するまでに通常は最大１秒以上の時間がかかってしまう。
【００１１】
また、特定コネクションのＶＰ−ＡＩＳ警報を検出したにも拘わらず、ＶＰ−ＦＥＲＦセル挿入制御でそのＶＰ警報を確認する前に警報が解除された場合は、ＶＰ−ＦＥＲＦセルが発生しないという課題もあった。
これは、一定間隔でコネクション毎の故障を確認し、故障時のみ故障通知セルを発生する方式では全て同様であり、例えば、ＶＰ故障検出時に該ＶＰに含まれる複数のＶＣコネクションに対して故障通知セルを発生する場合には、全ＶＣコネクションに対して故障通知セルを発生する前にＶＰ故障が解除すると、同一の故障に対して故障通知セルが発生するＶＣコネクションと発生しないＶＣコネクションが生じてしまうことになる。
【００１２】
この発明は上記のような課題を解決するためになされたもので、故障の検出後、速やかに故障通知セルを発生することができる故障通知セル発生回路及び故障通知セル発生方法を得ることを目的とする。
また、この発明は、故障が短期間で解消しても、故障の影響を受ける全てのコネクションに対して確実に故障通知セルを発生することができる故障通知セル発生回路及び故障通知セル発生方法を得ることを目的とする。
【００１３】
【課題を解決するための手段】
この発明に係る故障通知セル発生回路は、格納手段に格納されている共通カウント値に所定値を加算し、その加算値が現在の共通カウント値と一致するとき、故障通知セルを主信号セルの空きセルに挿入する挿入手段を設けたものである。
【００１４】
この発明に係る故障通知セル発生回路は、コネクションの故障が解消されるまで、加算値が現在の共通カウント値と一致する限り、故障通知セルを主信号セルの空きセルに挿入する挿入手段を設けたものである。
【００１５】
この発明に係る故障通知セル発生回路は、故障通知セルを挿入する前にコネクションの故障が解消された場合でも、１回だけ故障通知セルを主信号セルの空きセルに挿入する挿入手段を設けたものである。
【００１６】
この発明に係る故障通知セル発生回路は、故障検出手段がコネクションの故障を検出すると有効になる一方、挿入手段が故障通知セルを主信号セルの空きセルに挿入すると無効になる初回発生フラグを設け、コネクションの故障が解消された場合でも、その初回発生フラグが有効であれば、故障通知セルを主信号セルの空きセルに挿入するようにしたものである。
【００１７】
この発明に係る故障通知セル発生方法は、故障検出時の共通カウント値に所定値を加算し、その加算値が現在の共通カウント値と一致するとき、故障通知セルを主信号セルの空きセルに挿入するようにしたものである。
【００１８】
この発明に係る故障通知セル発生方法は、コネクションの故障が解消されるまで、加算値が現在の共通カウント値と一致する限り、故障通知セルを主信号セルの空きセルに挿入するようにしたものである。
【００１９】
この発明に係る故障通知セル発生方法は、故障通知セルを挿入する前にコネクションの故障が解消された場合でも、１回だけ故障通知セルを主信号セルの空きセルに挿入するようにしたものである。
【００２０】
この発明に係る故障通知セル発生方法は、コネクションの故障を検出すると有効になる一方、故障通知セルを主信号セルの空きセルに挿入すると無効になる初回発生フラグを設け、コネクションの故障が解消された場合でも、その初回発生フラグが有効であれば、故障通知セルを主信号セルの空きセルに挿入するようにしたものである。
【００２１】
【発明の実施の形態】
以下、この発明の実施の一形態を説明する。
実施の形態１．
図１はこの発明の実施の形態１による故障通知セル発生回路を示す構成図であり、図において、１は主信号セルに含まれる各ＯＡＭセルやユーザセルを監視して、全ての動作中のＶＰコネクション又はＶＣコネクションについての故障状態を判定する故障検出部（故障検出手段）、２は故障検出部１により判定された故障状態を全コネクションについて保持する故障管理用メモリであり、コネクション毎に故障検出時は「１」、故障解除時は「０」が書き込まれる。３は故障通知セルの発生を制御するための情報として、故障検出タイミングと初回発生フラグを全コネクションについて保持する発生制御用メモリ（格納手段）であり、故障検出タイミングはコネクション毎の故障検出時にタイミング制御部４が出力する共通カウント値を取り込んだ値であり、初回発生フラグはコネクション毎の故障検出時に「１」、故障コネクションに対する最初の故障通知セル挿入要求を発生した時に「０」とする１ビットのフラグである。
【００２２】
４は故障通知セルの最小発生間隔を示す９０μｓパルス信号と、故障通知セルの発生周期１秒を２分割した１／２秒周期パルス信号と、２分割した各区間を識別する共通カウント値＝０，１，０，１，・・・とを生成して出力するタイミング制御部（更新手段）であり、１／２秒周期パルス信号は９０μｓパルス信号に同期化して生成する。
【００２３】
５はタイミング制御部４により生成された９０μｓパルス信号と１／２秒周期パルス信号を入力し、１／２秒間に９０μｓ間隔でコネクション番号＝１，２，３，・・・，Ｎを昇順に生成するコネクション検索部であり、コネクション検索部５はそのコネクション番号に対応するデータをコネクションテーブル６から読み出し、そのデータとコネクション番号をコネクション情報として出力する。ただし、説明を簡略化するため、使用可能なＶＰコネクション又はＶＣコネクションには、全てコネクションを識別するための番号が付けられているものとし、この実施の形態１では、コネクション番号＝１，２，３，・・・，Ｎとする。
６はコネクション番号に対応するコネクションが動作中であるか否かを示す有効／無効フラグと、ＶＰコネクションであるかＶＣコネクションであるかを示すＶＰ／ＶＣフラグと、ＶＰＩ（Ｖｉｒｔｕａｌ  Ｐａｔｈ  Ｉｄｅｎｔｉｆｉｅｒ）及びＶＣＩ（Ｖｉｒｔｕａｌ  Ｃｈａｎｎｅｌ  Ｉｄｅｎｔｉｆｉｅｒ）とを記憶するコネクションテーブルである。
【００２４】
７はタイミング制御部４が出力する各パルス信号とコネクション検索部５が出力するコネクション情報に基づいて、故障管理用メモリ２と発生制御用メモリ３をアクセスし、コネクション番号＝１，２，３，・・・，Ｎに対応する故障状態と故障検出タイミングと初回発生フラグとを読み出し、その故障状態が「１」または初回発生フラグが「１」であり、かつ、故障検出タイミングに“１”を加算した加算値が現在の共通カウント値と一致する場合（故障検出タイミングと現在の共通カウント値が異なる場合）、故障通知セル挿入要求を故障通知セル挿入部８に出力し、また、その初回発生フラグが「１」の場合は、故障通知セル挿入要求を出力した時に初回発生フラグを「０」に解除する故障通知セル発生制御部（挿入手段）、８は故障通知セル発生制御部７が故障通知セル挿入要求を出力すると、コネクション検索部５が出力するコネクション情報から故障通知セルを生成し、その故障通知セルを主信号セルの空きセル位置に挿入する故障通知セル挿入部（挿入手段）である。
【００２５】
なお、図２は発生制御用メモリ３の内部構成を示す説明図であり、発生制御用メモリ３はコネクション番号をアドレスとして、故障検出タイミングと初回発生フラグを保持している。
図３はこの実施の形態１による故障通知セル発生回路の動作例を示す説明図、図４はこの発明の実施の形態１による故障通知セル発生方法を示すフローチャートである。
【００２６】
次に動作について説明する。
タイミング制御部４が生成する共通カウント値は、図３に示すように、１／２秒周期で０，１，０，１，・・・を繰り返し、コネクション検索部５が生成する故障通知セル発生制御用のコネクション番号は、１／２秒周期中に９０μｓ間隔で１，２，３，・・・，Ｎまでカウントアップしている。
また、故障検出部１により判定されたコネクション毎の故障状態と、それに対応する故障検出タイミング及び初回発生フラグは、コネクション番号をアドレスとして、故障管理用メモリ２又は発生制御用メモリ３にそれぞれ書き込まれている（ステップＳＴ１，ＳＴ２）。
【００２７】
ここで、図３の例では、１／２秒周期毎に第１周期，第２周期，第３周期，・・・として、故障検出部１が第１周期目にコネクション番号＝２，第２周期目にコネクション番号＝ｍの故障を検出し、コネクション番号＝ｍの故障が第３周期目に解除されているものを示している。
このため、図３の例では、コネクション番号＝２については、第１周期目に故障状態が「１」になり、同時に故障検出タイミングには共通カウント値の「０」、初回発生フラグには「１」が書き込まれる。
一方、コネクション番号＝ｍについては、第２周期目に故障状態が「１」になり、同時に故障検出タイミングには共通カウント値の「１」，初回発生フラグには「１」が書き込まれる。ただし、第３周期目に故障状態が「０」に解除される時には、故障検出タイミングと初回発生フラグは変化しない。
【００２８】
最初に、コネクション番号＝２の故障に対する故障通知セルの発生制御について説明する。
第１周期目にコネクション番号＝２の故障情報を確認した時は、上述したように、故障状態と初回発生フラグが共に「０」であるため、故障通知セル発生制御部７は、故障通知セル挿入要求を故障通知セル挿入部８に出力しない（ステップＳＴ３〜ＳＴ５）。
第２周期目にコネクション番号＝２の故障情報を確認した時は、故障状態と初回発生フラグが「１」であり、かつ、故障検出タイミング「０」が現在の共通カウント値「１」と異なるため（故障検出タイミング「０」に“１”を加算した加算値「１」が現在の共通カウント値「１」と一致するため）、故障通知セル発生制御部７は、故障通知セル挿入要求を故障通知セル挿入部８に出力し（ステップＳＴ３，ＳＴ６，ＳＴ７）、コネクション番号＝２の初回発生フラグを「０」に解除する。
【００２９】
また、第３周期目は、故障状態は「１」であるが、故障検出タイミング「０」が現在の共通カウント値「０」と一致するため（故障検出タイミング「０」に“１”を加算した加算値「１」が現在の共通カウント値「０」と一致しないため）、故障通知セル発生制御部７は、故障通知セル挿入要求を故障通知セル挿入部８に出力しない（ステップＳＴ３，ＳＴ６，ＳＴ５）。
第４周期目は、初回発生フラグが「０」であるが、故障状態が「１」であり、かつ、故障検出タイミング「０」が現在の共通カウント値「１」と異なるため、故障通知セル発生制御部７は、故障通知セル挿入要求を故障通知セル挿入部８に出力する（ステップＳＴ３，ＳＴ６，ＳＴ７）。
さらに、第５周期目は第３周期目と同じであり、故障通知セル挿入要求を出力しない（ステップＳＴ３，ＳＴ６，ＳＴ５）。
【００３０】
このように、コネクション番号＝２の故障が続いている間、コネクション番号＝２に対して、１秒周期で故障通知セル挿入要求が故障通知セル挿入部８に出力され、故障通知セル挿入部８がその故障通知セルを主信号セルの空きセル位置に挿入する（ステップＳＴ８）。
【００３１】
次に、コネクション番号＝ｍの故障に対する故障通知セルの発生制御について説明する。
コネクション番号＝ｍの故障に対しては、第１周期目，第２周期目は故障状態と初回発生フラグが共に「０」であるため、故障通知セル発生制御部７は、故障通知セル挿入要求を故障通知セル挿入部８に出力しない（ステップＳＴ３〜ＳＴ５）。
【００３２】
第３周期目にコネクション番号＝ｍの故障情報を確認した時は、既に故障状態が「０」に解除されているが、初回発生フラグが「１」であり、かつ、故障検出タイミング「１」が現在の共通カウント値「０」と異なるため、故障通知セル発生制御部７は、故障通知セル挿入要求を故障通知セル挿入部８に出力し（ステップＳＴ３，ＳＴ４，ＳＴ６，ＳＴ７）、コネクション番号＝ｍの初回発生フラグを「０」に解除する。
第４周期目以降は、故障状態と初回発生フラグが共に「０」であるため、故障通知セル挿入要求を出力しない（ステップＳＴ３〜ＳＴ５）。
【００３３】
このように、コネクション番号＝ｍの故障が発生して故障通知セルを発生する前に、その故障が解消されても、コネクション番号＝ｍに対して、１回だけ故障通知セル挿入要求が故障通知セル挿入部８に出力され、故障通知セル挿入部８がその故障通知セルを主信号セルの空きセル位置に挿入する（ステップＳＴ８）。
【００３４】
以上で明らかなように、この実施の形態１によれば、故障通知セルの発生周期１秒を共通カウント値で２分割し、特定パス故障の検出時には故障検出タイミングとして共通カウント値をコネクション毎に保持しておき、１／２秒区間中に全コネクションについての故障情報を確認した時に、故障コネクションに対しては故障検出タイミングと共通カウント値が異なる場合に故障通知セル挿入要求を発生することによって、故障通知セル挿入要求の発生周期がコネクション毎に１秒であり、かつ、故障検出から最大１秒以内に最初の故障通知セル挿入要求を発生することができる。
【００３５】
さらに、コネクション毎の故障検出時に有効とし、故障検出コネクションに対して最初に故障通知セル挿入要求を発生した時に無効とするコネクション毎の初回発生フラグを設け、故障が解除したコネクションに対しても初回発生フラグが有効な場合には故障通知セル挿入要求を発生することによって、短期間の故障時でも必ず１回は故障通知セル挿入要求を発生することができる。
【００３６】
実施の形態２．
この実施の形態２では、例えば、ＶＰ−ＡＩＳ警報検出によるＶＣ−ＡＩＳセル発生のように、ＶＰ故障検出時に複数のＶＣコネクションに対して故障通知セルを発生する方法について説明する。
【００３７】
図５はコネクションテーブル６の構成例を示す説明図であり、図５において、コネクション番号＝１，２，３のＶＰＩ値は全て「２」であり、コネクション番号＝１，２の最終フラグは「０」、コネクション番号＝３の最終フラグは「１」になっている。なお、最終フラグは同一ＶＰに含まれるＶＣコネクションの中でコネクション番号が一番大きいＶＣコネクション（故障通知セル発生制御の順番が一番遅いＶＣコネクション）を示すフラグである。
【００３８】
図６は図５のコネクションテーブル６に対応する動作例を示す説明図であり、図６において、故障検出部１により判定されたＶＰ毎の故障状態と、それに対応する故障検出タイミング及び初回発生フラグは、コネクション番号ではなくＶＰＩ値をアドレスとして各メモリに書き込まれている。従って、故障通知セル発生制御部７では、コネクションテーブル６から読み出したＶＰＩ値をアドレスとして、各コネクション番号に対応する故障情報の確認を行う。
【００３９】
図６に示す例では、第１周期目にＶＰＩ＝２の故障状態が「１」になり、同時に故障検出タイミングには共通カウント値の「０」、初回発生フラグには「１」が書き込まれている。ただし、第２周期目に故障状態が「０」に解除される時は、故障検出タイミングと初回発生フラグは変化しない。
【００４０】
以下、ＶＰＩ＝２の故障に対する故障通知セルの発生制御について説明する。第１周期目にコネクション番号＝１〜３に対応するＶＰＩ＝２の故障情報を確認した時は、故障状態と初回発生フラグが共に「０」であるため、故障通知セル発生制御部７は、故障通知セル挿入要求を故障通知セル挿入部８に出力しない。
【００４１】
第２周期目にコネクション番号＝１に対応するＶＰＩ＝２の故障情報を確認した時、故障状態と初回発生フラグが「１」であり、かつ、故障検出タイミング「０」が現在の共通カウント値「１」と異なるため、故障通知セル発生制御部７は、故障通知セル挿入要求を故障通知セル挿入部８に出力する。
このとき、コネクションテーブル６から読み出したコネクション番号＝１の最終フラグは「０」であり、ＶＰＩ＝２のＶＣコネクションがまだ残っているため、初回発生フラグは解除しない。
【００４２】
次に、コネクション番号＝２に対応するＶＰＩ＝２の故障情報を確認した時、故障状態は「０」に解除されているが、初回発生フラグが「１」であり、かつ、故障検出タイミング「０」が現在の共通カウント値「１」と異なるため、故障通知セル発生制御部７は、故障通知セル挿入要求を故障通知セル挿入部８に出力する。ただし、コネクション番号＝２の最終フラグは未だ「０」であるため、初回発生フラグは解除しない。
【００４３】
最後に、コネクション番号＝３に対応するＶＰＩ＝２の故障情報を確認した時、コネクション番号２と同様に故障通知セル挿入要求を出力する。このとき、コネクション番号＝３の最終フラグが「１」であるため、初回発生フラグを「０」に解除する。
第３周期目以降は、故障状態と初回発生フラグが共に「０」であるため、故障通知セル挿入要求を出力しない。
【００４４】
以上のように、この実施の形態２によれば、ＶＰ故障の検出時に複数のＶＣコネクションに対して故障通知セルを発生する場合は、同一ＶＰに含まれるＶＣコネクションの中で故障通知セル発生制御の順番が一番遅いＶＣコネクションを識別するための最終フラグをコネクションテーブル６に記憶しておき、最終フラグが有効なＶＣコネクションに対して最初に故障通知セル挿入要求を発生した時のみ初回発生フラグを無効とすることによって、故障を検出したＶＰに含まれる全てのＶＣコネクションに対して必ず１回は故障通知セル挿入要求を発生することができる。
【００４５】
【発明の効果】
以上のように、この発明によれば、格納手段に格納されている共通カウント値に所定値を加算し、その加算値が現在の共通カウント値と一致するとき、故障通知セルを主信号セルの空きセルに挿入する挿入手段を設けるように構成したので、故障の検出後、速やかに故障通知セルを発生することができる効果がある。
【００４６】
この発明によれば、コネクションの故障が解消されるまで、加算値が現在の共通カウント値と一致する限り、故障通知セルを主信号セルの空きセルに挿入する挿入手段を設けるように構成したので、コネクションの故障が解消されるまで、周期的に故障通知セルを発生することができる効果がある。
【００４７】
この発明によれば、故障通知セルを挿入する前にコネクションの故障が解消された場合でも、１回だけ故障通知セルを主信号セルの空きセルに挿入する挿入手段を設けるように構成したので、故障が短期間で解消されても、故障の影響を受ける全てのコネクションに対して確実に故障通知セルを発生することができる効果がある。
【００４８】
この発明によれば、故障検出手段がコネクションの故障を検出すると有効になる一方、挿入手段が故障通知セルを主信号セルの空きセルに挿入すると無効になる初回発生フラグを設け、コネクションの故障が解消された場合でも、その初回発生フラグが有効であれば、故障通知セルを主信号セルの空きセルに挿入するように構成したので、複雑な構成を用いることなく、確実に故障通知セルを発生することができる効果がある。
【００４９】
この発明によれば、故障検出時の共通カウント値に所定値を加算し、その加算値が現在の共通カウント値と一致するとき、故障通知セルを主信号セルの空きセルに挿入するように構成したので、故障の検出後、速やかに故障通知セルを発生することができる効果がある。
【００５０】
この発明によれば、コネクションの故障が解消されるまで、加算値が現在の共通カウント値と一致する限り、故障通知セルを主信号セルの空きセルに挿入するように構成したので、コネクションの故障が解消されるまで、周期的に故障通知セルを発生することができる効果がある。
【００５１】
この発明によれば、故障通知セルを挿入する前にコネクションの故障が解消された場合でも、１回だけ故障通知セルを主信号セルの空きセルに挿入するように構成したので、故障が短期間で解消されても、故障の影響を受ける全てのコネクションに対して確実に故障通知セルを発生することができる効果がある。
【００５２】
この発明によれば、コネクションの故障を検出すると有効になる一方、故障通知セルを主信号セルの空きセルに挿入すると無効になる初回発生フラグを設け、コネクションの故障が解消された場合でも、その初回発生フラグが有効であれば、故障通知セルを主信号セルの空きセルに挿入するように構成したので、複雑な構成を用いることなく、確実に故障通知セルを発生することができる効果がある。
【図面の簡単な説明】
【図１】  この発明の実施の形態１による故障通知セル発生回路を示す構成図である。
【図２】  発生制御用メモリ３の内部構成を示す説明図である。
【図３】  この実施の形態１による故障通知セル発生回路の動作例を示す説明図である。
【図４】  この発明の実施の形態１による故障通知セル発生方法を示すフローチャートである。
【図５】  コネクションテーブル６の構成例を示す説明図である。
【図６】  図５のコネクションテーブル６に対応する動作例を示す説明図である。
【図７】  従来の故障通知セル発生回路の動作例を示す説明図である。
【符号の説明】
１  故障検出部（故障検出手段）、３  発生制御用メモリ（格納手段）、４  タイミング制御部（更新手段）、７  故障通知セル発生制御部（挿入手段）、８故障通知セル挿入部（挿入手段）。
【図１】
0003657459.tif 000002
【図２】
0003657459.tif 000003
【図３】
0003657459.tif 000004
【図４】
0003657459.tif 000005
【図５】
0003657459.tif 000006
【図６】
0003657459.tif 000007
【図７】
0003657459.tif 000008